(57)【特許請求の範囲】
【請求項１】
延出した構成をなす把持部と、前記把持部の延出側とは異なる側に延出する読取部とを備え、前記読取部の端部に読取口が形成されてなる光学的情報読取装置を保持対象とし、
かつ載置面上に載置して用いられる置台であって、
前記読取部と係合することで、前記光学的情報読取装置を保持する装置保持部と、
前記載置面上に載置される基台と、
前記基台と前記装置保持部とを連結すると共に前記装置保持部を前記載置面から離れた位置で保持するアーム部と、
を備え、
前記装置保持部は、
前記光学的情報読取装置を保持する際に前記読取口と対向するように配置され、且つその保持の際に前記読取口内を外部に露出させる貫通孔が設けられた底部と、
前記底部から立ち上がるように設けられ、前記光学的情報読取装置を保持する際に、前記把持部における把持位置と前記読取口との間の中間部を受ける第１壁部と、
前記第１壁部と対向する位置において前記底部から立ち上がるように設けられる第２壁部と、
を備え、
前記把持部が前記装置保持部の外部に配され且つ前記読取口が前記底部と対向するように前記光学的情報読取装置が配置された状態で、前記第１壁部により前記中間部を支持し、かつ前記中間部を支点とする前記読取部の端部の動きを前記第２壁部によって係止することで前記光学的情報読取装置を保持することを特徴とする光学的情報読取装置の置台。
【請求項２】
前記第１壁部において、前記光学的情報読取装置を保持する際に前記中間部と嵌合する凹部が形成されていることを特徴とする請求項１に記載の光学的情報読取装置の置台。
【請求項３】
前記装置保持部は、
樹脂材料によって構成されており、
前記底部の裏側における複数の端面がそれぞれ平坦面として構成され、それら平坦面が同一の仮想平面上に位置していることを特徴とする請求項１又は請求項２に記載の光学的情報読取装置の置台。
【請求項４】
前記装置保持部は、
前記装置保持部は、樹脂材料によって構成されており、
正面視、側面視、及び背面視したときの底部の端面形状がいずれも平坦に構成されていることを特徴とする請求項１又は請求項２に記載の光学的情報読取装置の置台。
【請求項５】
前記底部における前記読取口との対向面は、
前記貫通孔の周囲において前記第１壁部寄りの過半領域に設けられる平滑面と、
前記平滑面と前記第２壁部との間において前記平滑面に対して傾斜するように配置され、且つ前記光学的情報読取装置が装着される際に前記読取口の端部を前記第２壁部側に案内する傾斜面と、
を有することを特徴とする請求項１から請求項４のいずれか一項に記載の光学的情報読取装置の置台。
【請求項６】
前記保持対象となる前記光学的情報読取装置は、前記読取部が長手状に構成され、前記読取部の長手方向中間位置又は長手方向後端位置を基端として前記把持部が延出する構成のものであることを特徴とする請求項１から請求項５のいずれか一項に記載の光学的情報読取装置の置台。
【請求項７】
前記アーム部は、前記装置保持部に固定される第１固定部と、前記基台に固定される第２固定部と、前記第１固定部と前記第２固定部とを繋ぐフレキシブルチューブと、を有してなることを特徴とする請求項１から請求項６のいずれか一項に記載の光学的情報読取装置の置台。
【請求項８】
光学的情報読取装置を載置面上に載置して用いられる置台によって保持する保持構造であって、
前記光学的情報読取装置は、
延出した構成をなす把持部と、
前記把持部の延出側とは異なる側に延出する読取部と、を備え、
前記読取部の端部に読取口が形成されており、
前記置台は、
前記読取部と係合することで、前記光学的情報読取装置を保持する装置保持部と、
前記載置面上に載置される基台と、
前記基台と前記装置保持部とを連結すると共に前記装置保持部を前記載置面から離れた位置で保持するアーム部と、
を備えると共に、
前記装置保持部において、
前記光学的情報読取装置を保持する際に前記読取口と対向するように配置され、且つその保持の際に前記読取口内を外部に露出させる貫通孔が設けられた底部と、
前記底部から立ち上がるように設けられ、前記光学的情報読取装置を保持する際に、前記把持部における把持位置と前記読取口との間の中間部を受ける第１壁部と、
前記第１壁部と対向する位置において前記底部から立ち上がるように設けられる第２壁部と、
が設けられており、
さらに、前記把持部を前記装置保持部の外部に配し、且つ前記読取口を前記底部と対向させるように前記光学的情報読取装置を配置した状態で、前記第１壁部により前記中間部を支持し、かつ前記中間部を支点とする前記読取部の端部の動きを前記第２壁部によって係止することで前記光学的情報読取装置を保持することを特徴とする光学的情報読取装置の保持構造。
【発明の詳細な説明】
【技術分野】
【０００１】
本発明は、光学的情報読取装置の置台及び光学的情報読取装置の保持構造に関するものである。
【背景技術】
【０００２】
バーコードリーダ等の光学的情報読取装置の分野では、作業者が手に持って使用できるいわゆる手持ち式読取装置が広く提供されており、更に、このような手持ち式読取装置を定置式読取装置として兼用できるようにする構成も提供されている。単一の光学的情報読取装置を手持使用と定置使用とに切り替えることができるようにした技術としては、例えば特許文献１、２のようなものがある。
【特許文献１】特開平９−９１３６８
【特許文献２】特開平１１−３９４２３
【発明の開示】
【発明が解決しようとする課題】
【０００３】
手持ち式の光学的情報読取装置を定置式読取装置として利用できるようにするには、特許文献１、２のように、手持ち式の光学的情報読取装置を特別な置台に載置して用いる方法が考えられる。しかしながら、特許文献１、２の構成では、光学的情報読取装置の読取口を下方（即ち、置台を載置する載置面側）に向かせることが難しく、読取口を下方側に向かせて定置使用することが困難であった。
【０００４】
本発明は、上述した課題を解決するためになされたものであり、読取口を載置面側（下方側）に向かせた定置使用が可能であり、さらに、装置保持部を大型化することなく光学的情報読取装置の安定保持、着脱操作容易化を共に実現しうる構成を提供することを目的とする。
【課題を解決するための手段】
【０００５】
請求項１の発明は、延出した構成をなす把持部と、前記把持部の延出側とは異なる側に延出する読取部とを備え、前記読取部の端部に読取口が形成されてなる光学的情報読取装置を保持対象とし、かつ載置面上に載置して用いられる置台であって、前記読取部と係合することで、前記光学的情報読取装置を保持する装置保持部と、前記載置面上に載置される基台と、前記基台と前記装置保持部とを連結すると共に前記装置保持部を前記載置面から離れた位置で保持するアーム部と、を備え、前記装置保持部は、前記光学的情報読取装置を保持する際に前記読取口と対向するように配置され、且つその保持の際に前記読取口内を外部に露出させる貫通孔が設けられた底部と、前記底部から立ち上がるように設けられ、前記光学的情報読取装置を保持する際に、前記把持部における把持位置と前記読取口との間の中間部を受ける第１壁部と、前記第１壁部と対向する位置において前記底部から立ち上がるように設けられる第２壁部と、を備え、前記把持部が前記装置保持部の外部に配され且つ前記読取口が前記底部と対向するように前記光学的情報読取装置が配置された状態で、前記第１壁部により前記中間部を支持し、かつ前記中間部を支点とする前記読取部の端部の動きを前記第２壁部によって係止することで前記光学的情報読取装置を保持することを特徴とする。
【０００６】
請求項２の発明は、請求項１に記載の光学的情報読取装置の置台において、前記第１壁部において、前記光学的情報読取装置を保持する際に前記中間部と嵌合する凹部が形成されていることを特徴とする。
【０００７】
請求項３の発明は、請求項１又は請求項２に記載の光学的情報読取装置の置台において、前記装置保持部は、樹脂材料によって構成されており、前記底部の裏側における複数の端面がそれぞれ平坦面として構成され、それら平坦面が同一の仮想平面上に位置していることを特徴とする。
【０００８】
請求項４の発明は、請求項１又は請求項２に記載の光学的情報読取装置の置台において、前記装置保持部は、樹脂材料によって構成されており、正面視、側面視、及び背面視したときの前記底部の端面形状がいずれも平坦に構成されていることを特徴とする。
【０００９】
請求項５の発明は、請求項１から請求項４のいずれか一項に記載の光学的情報読取装置の置台において、前記底部における前記読取口との対向面は、前記貫通孔の周囲において前記第１壁部寄りの過半領域に設けられる平滑面と、前記平滑面と前記第２壁部との間において前記平滑面に対して傾斜するように配置され、且つ前記光学的情報読取装置が装着される際に前記読取口の端部を前記第２壁部側に案内する傾斜面と、を有することを特徴とする。
【００１０】
請求項６の発明は、請求項１から請求項５のいずれか一項に記載の光学的情報読取装置の置台において、前記保持対象となる前記光学的情報読取装置は、前記読取部が長手状に構成され、前記読取部の長手方向中間位置又は長手方向後端位置を基端として前記把持部が延出する構成のものであることを特徴とする。
【００１１】
請求項７の発明は、請求項１から請求項６のいずれか一項に記載の光学的情報読取装置の置台において、前記アーム部は、前記装置保持部に固定される第１固定部と、前記基台に固定される第２固定部と、前記第１固定部と前記第２固定部とを繋ぐフレキシブルチューブと、を有してなることを特徴とする。
【００１２】
請求項８の発明は、光学的情報読取装置を載置面上に載置して用いられる置台によって保持する保持構造であって、前記光学的情報読取装置は、延出した構成をなす把持部と、前記把持部の延出側とは異なる側に延出する読取部と、を備え、前記読取部の端部に読取口が形成されており、前記置台は、前記読取部と係合することで、前記光学的情報読取装置を保持する装置保持部と、前記載置面上に載置される基台と、前記基台と前記装置保持部とを連結すると共に前記装置保持部を前記載置面から離れた位置で保持するアーム部と、を備えると共に、前記装置保持部において、前記光学的情報読取装置を保持する際に前記読取口と対向するように配置され、且つその保持の際に前記読取口内を外部に露出させる貫通孔が設けられた底部と、前記底部から立ち上がるように設けられ、前記光学的情報読取装置を保持する際に、前記把持部における把持位置と前記読取口との間の中間部を受ける第１壁部と、前記第１壁部と対向する位置において前記底部から立ち上がるように設けられる第２壁部と、が設けられており、さらに、前記把持部を前記装置保持部の外部に配し、且つ前記読取口を前記底部と対向させるように前記光学的情報読取装置を配置した状態で、前記第１壁部により前記中間部を支持し、かつ前記中間部を支点とする前記読取部の端部の動きを前記第２壁部によって係止することで前記光学的情報読取装置を保持することを特徴とする。
なお、請求項８の構成に上記請求項２〜請求項７のいずれか一項の構成を付加し、一層有利な効果を得るように構成してもよい。
【発明の効果】
【００１３】
請求項１の発明では、光学的読取装置を保持する装置保持部が載置面から離れた高位置で保持され、その装置保持部における読取口と対向する底部において読取口内を外部に露出させる貫通孔が形成されているため、読取口を載置面側（下方側）に向かせた状態で光学的情報読取装置を保持できるようになり、読取口を載置面側（下方側）に向かせた定置使用が可能となる。
また、把持部が装置保持部の外部に配された状態で第１壁部により中間部を支持しているため、把持部の自重により、読取部の端部側が中間部を支点として浮き上がろうとするが、中間部を支点として動こうとする読取部の端部を第２壁部によって係止しており、その結果、光学的情報読取装置は装置保持部に安定的に保持されることとなる。また、把持部を持ち上げるようにすれば、中間部を支点とする読取部の浮き上がり作用を解除できるため、光学的情報読取装置の離脱操作も容易に行うことができる。
また、このようにすれば、光学的情報読取装置を大掛かりな構成で収容する必要がなく、置台（特に装置保持部）を効果的に小型化できる。
【００１４】
請求項２の発明では、第１壁部において光学的情報読取装置を保持する際に中間部と嵌合する凹部が形成されているため、装着時に中間部を第１壁部に対して位置決めしやすく、また保持の際には中間部の位置ずれを抑えて当該中間部を安定的に受けることができるようになる。
【００１５】
請求項３の発明では、底部の裏側における複数の端面がそれぞれ平坦面として構成されており、それら平坦面が同一の仮想平面上に位置しているため、仮に装置保持部を取り外した場合、当該装置保持部を平坦面等に安定的に載置できる構成となる。
このように構成すると、当該装置保持部を製造するための金型を利用して本発明の置台とは別タイプの置台（即ち、装置保持部と略同形状であってかつ載置面上に載置して用いる樹脂製の置台）を容易に製造できるようになる。即ち、特徴部分の形状を別タイプの置台の全体形状と共通化でき、部品管理容易化、コスト低減等を図ることができる。
【００１６】
請求項４の発明では、正面視、側面視、及び背面視したときの底部の端面形状がいずれも平坦に構成されているため、仮に装置保持部を取り外した場合、当該装置保持部を平坦面等に安定的に載置できる構成となる。
このように構成すると、当該装置保持部を製造するための金型を利用して本発明の置台とは別タイプの置台（即ち、装置保持部と略同形状であってかつ載置面上に載置して用いる樹脂製の置台）を容易に製造できるようになる。即ち、特徴部分の形状を別タイプの置台の全体形状と共通化でき、部品管理容易化、コスト低減等を図ることができる。
【００１７】
請求項５の発明では、光学的情報読取装置を装着する際に、読取部の端部が平滑面を滑りかつ傾斜面によってスムーズに第２壁部側に案内されるようになり、逆に、離脱の際には傾斜面を滑ってスムーズに平滑面側に案内されるようになる。
【００１８】
請求項６の発明によれば、いわゆるガンタイプの光学的情報読取装置を保持対象として当該光学的情報読取装置を良好に保持できることとなる。
【００１９】
請求項７の発明では、アーム部においてフレキシブルチューブが設けられているため、装置保持部の位置や角度を自由にかつ容易に変化させることができ、利便性をより一層高めることができる。
【００２０】
請求項８の発明によれば、請求項１と同様の効果を奏する保持構造を実現できる。
【発明を実施するための最良の形態】
【００２１】
[第１実施形態]
以下、光学的情報読取装置の置台及び光学的情報読取装置の保持構造の実施形態を例示して説明する。
図１は、第１実施形態に係る置台を概略的に例示する斜視図である。図２は、図１の置台に光学的情報読取装置を載置した例を示す斜視図である。図３は、保持対象の光学的情報読取装置を説明する説明図である。図４は、図１の置台の装置保持部を示す平面図である。図５は、装置保持部の正面図であり、図６は、装置保持部の背面図である。図７は、装置保持部の側面図である。図８は、装置保持部についてのＡ−Ａ断面を概略的に示す断面図である。図９は、装置保持部についてのＢ−Ｂ断面を概略的に示す断面図である。図１０は、装置保持部の裏面図である。図１１は、装置保持部を平坦面に載置した様子を説明する説明図である。図１２は、装置保持部による光学的情報読取装置の保持状態（係合状態）を説明する説明図である。
【００２２】
本実施形態に係る置台１は、全体として図１のような構成をなしており、図２のように光学的情報読取装置１００を載置して保持する機能を有している。なお、この置台１は、様々な載置面上に載置して用いられるものであり、図２では置台１を載置する載置面９０を概念的に例示している。
【００２３】
まず、保持対象となる光学的読取装置１００について説明する。
置台１の保持対象となる光学的情報読取装置１００は、バーコード、ＱＲコード（商標名）等の情報コードを読み取るコードリーダ（例えば、バーコードリーダ、二次元コードリーダ等）として構成されるものであり、外郭部を構成する外装ケース１０１内に各種電子部品が収容された構成をなしている。
【００２４】
この光学的情報読取装置１００は、延出した構成をなす長手状の把持部１０４と、把持部１０４の延出側とは異なる側に延出する長手状の読取部１０２と、を備えており、読取部１０２の長手方向中間位置（具体的には読取部１０２の後端寄りの位置）を基端として把持部１０４が延出する構成をなしている。図２に例示される光学的情報読取装置１００は、いわゆるガンタイプとして構成されるものであり、より詳しくは読取部１０２が延びる方向（図２において矢印Ｆ１で示される読取部１０２の長手方向）と、把持部１０４が延びる方向（図２においてＦ２で示される把持部１０４の長手方向）とがほぼ直交するように構成されている。
なお、本実施形態では、読取部１０２の長手方向において読取口１０６（後述）が設けられる側を前方側、それとは反対側を後方側としている。
【００２５】
把持部１０４は、使用者が手に持って握ることができる程度のサイズで構成されており、その側部にはユーザによる押圧操作を受ける操作ボタン（図示略）など配置されている。また、読取部１０２は、長手方向一端部において開口部として構成される読取口１０６が設けられており、その内部には照明光を発する光源（ＬＥＤ等）、読取対象からの反射光を受光する受光センサ（ＣＣＤセンサ等）、各種制御を行う制御回路（マイコン等）、メモリなどが収容されている。読取部１０２に形成された読取口１０６は、読取対象（バーコード等の情報コード、図３ではＱＲコードＱ１を例示）に対する照明光を導出し、かつ読取対象からの反射光を導入する光導出入口として構成されている。なお、コードリーダの分野において、読取口を介して照明光を照射しかつ反射光を取り込み、情報コードの読み取りを行う構成は周知であるので電気的構成等の詳細な説明は省略する。
【００２６】
次に、置台１の具体的構成について説明する。
置台１は、主として装置保持部１０と、アーム部２と、基台３とに分かれた構成をなしている。
基台３は、図１、図２に示すように、アーム部２及び装置保持部１０を位置決めするベースとなるものであり、図２のように載置面（図２では載置面９０）上に配置されるべきものである。この基台３は、全体として平たい形状をなしており、平面視したときの面積が装置保持部１０を平面視したときの面積よりも広くなるように構成されている。基台３の内部には密度の大きい材料（例えば鉄等の金属材料）からなる錘が所定領域に亘って収容されている。
【００２７】
アーム部２は、基台３と装置保持部１０とを連結すると共に装置保持部１０を載置面９０から離れた高位置で保持するように機能するものである。このアーム部２は、装置保持部１０に固定される軸状の第１固定部２ａと、基台３に固定される軸状の第２固定部２ｂと、第１固定部２ａと第２固定部２ｂとを繋ぐフレキシブルチューブ２ｃと、を有している。これら第１固定部２ａ、第２固定部２ｂ、フレキシブルチューブ２ｃは、いずれも金属材料によって構成されており、第１固定部２ａの端部と第２固定部２ｂの端部にそれぞれフレキシブルチューブ２ｃが連結される構成をなしている。
【００２８】
第１固定部２ａは、後述する装置保持部１０の第１壁部１１の下端部に対しねじ５により固定されている。また、第２固定部２ｂは、基台３における長手方向一端部寄りの位置において上面部に固定されている。第２固定部２ｂもねじ等の連結部材（図示略）によって基台３に固定されている。フレキシブルチューブ２ｃは、マイクスタンドや電気スタンド等に用いられる公知のフレキシブルチューブとして構成されており、使用者による曲げ操作が可能な構成となっている。使用者による曲げ操作等の大きな力が加わらない状態では形状が保持されるようになっており、図２のように装置保持部１０に光学的情報読取装置１００を装着した状態でも形状が保持されるようになっている。
【００２９】
図２では、基台３の長手方向をＸ軸方向、基台３の短手方向をＹ軸方向、載置面９０と直交する方向をＺ軸方向としており、アーム部２は、基台３におけるＸ軸方向一方側寄りの位置を基端として上方に延びており、更に装置保持部１０側に近づくにつれてＸ軸方向他方側に向かうように湾曲した構成をなしている。
【００３０】
装置保持部１０は、読取部１０２と係合することで光学的情報読取装置１００を保持する機能を有している。この装置保持部１０は、例えば樹脂材料などによって構成され、環状の周壁を備えた枠状形態をなすものであり、図４〜図９に示すように、載置面側に臨む底部１５と、前後に対向する第１壁部１１及び第２壁部１２と、左右に対向する一対の側壁部１３，１４とを備えている。図１、図４〜図９に示すように、装置保持部１０は、底部１５を底とし、第１壁部１１、第２壁部１２、側壁部１３、１４を周壁とする略箱状形態をなしており、図２、図１２のように、光学的情報読取装置１００を保持する際に読取部１０２の端部（読取口１０６側の端部）を内部に収容する構成をなしている。なお、本実施形態では装置保持部１０全体が一体成形されている。
【００３１】
底部１５は、光学的情報読取装置１００を保持する際に読取口１０６と対向するように配置される部分であり、その保持の際に読取口１０６内を外部に露出させるための貫通孔２０が形成されている。図４に示すように、貫通孔２０は、周壁（即ち第１壁部１１、第２壁部１２、側壁部１３、１４）によって囲まれる領域の中心を含んだ中央領域を空間とする形態で構成されており、底部１５は、貫通孔２０の開口領域を取り囲むように環状に配置されている。
【００３２】
また、図４、図８、図９に示すように、底部１５における読取口１０６との対向面は、貫通孔２０の周囲において第１壁部１１寄りの過半領域に設けられる平滑面１５ｃと、平滑面１５ｃと第２壁部１２との間において平滑面１５ｃに対して傾斜するように配置された傾斜面１５ｄとを有している。この傾斜面１５ｄは、光学的情報読取装置１００が装置保持部１０に装着される際に読取口１０６の端部を第２壁部１２側に案内しうるものである。なお、平滑面１５ｃ及び傾斜面１５ｄの具体的な機能については後述する。
【００３３】
図４〜図７に示すように、第１壁部１１は、底部１５から立ち上がるように設けられており、図６に示すように幅方向中央付近に凹状に凹んだ凹部１１ｃが形成されている。なお、本実施形態では、側壁部１３、１４の対向方向（図５の矢印Ｆ３方向）を装置保持部１０の幅方向としている。図６のように第１壁部１１は、幅方向両側に配置される一対の壁部１１ａ、１１ｂと、これら壁部１１ａ、１１ｂの中間に配置される中間壁１１ｄとによって構成されており、図５〜図８に示すように、壁部１１ａ、１１ｂの高さが、第２壁部１２の高さよりも大きくなるように構成されている。
【００３４】
第１壁部１１は、光学的情報読取装置１００を保持する際に把持部１０４における把持位置（使用者によって把持される位置であり、図２等の例では把持部１０４の先端部付近から中央部付近に亘る領域）と読取口１０６との間の中間部１１０を受けるように機能するものであり、具体的には図２、図１２に示すように光学的情報読取装置１００の装着時に読取部１０２の裏壁１０２ｂ（図２、図３の表壁１０２ａと対向する反対側の壁部であり、把持部１０４が連結される壁部）を支持する構成をなしている。より詳しく言えば、図４、図８、図１２に示すように、壁部１１ａ、１１ｂにおける凹部１１ｃ付近の内壁面１７ａ、１７ｂが底部１５の平滑面１５ｃに対して鈍角となるように傾斜しており、光学的情報読取装置１００の装着時にこの一対の内壁面１７ａ、１７ｂによって読取部１０２の裏壁１０２ｂ（具体的には裏壁１０２ｂにおける把持部１０４の基端の両側二位置Ｐ１、Ｐ２：図３参照）を支持する構成をなしている。
【００３５】
図２、図１２に示すように、第１壁部１１に形成された凹部１１ｃは、図６等に示す例では、壁部１１ａ、１１ｂの高さの半分以上の深さとなるように凹んでいる。この凹部１１ｃは、光学的情報読取装置１００を保持する際に中間部１１０における読取部１０２と把持部１０４との境界付近の部分（具体的には、把持部１０４の基端部）と嵌合する構成をなしている。
【００３６】
第２壁部１２は、第１壁部１１と対向する位置において底部１５から立ち上がるように設けられている。この第１壁部１２は、両側端部１２ｂ、１２ｃが中央部１２ａよりも第１壁部１１側に寄った位置で立ち上がっており、光学的情報読取装置１００を保持する際には、これら端部１２ｂ、１２ｃによって読取部１０２の先端部（具体的には、読取部１０２の先端部における幅方向両端部付近の二位置Ｐ３、Ｐ４：図３参照）を支持する構成をなしている（図４等では端部１２ｂ、１２ｃによる読取部１０２の先端部の支持位置を符合Ｐ７、Ｐ８で示している）。なお、本実施形態では、読取部１０２が全体として長手状かつ平たい形状をなしておりこの読取部１０２の長手方向及び厚さ方向と直交する方向（図３の矢印Ｆ４の方向）を幅方向としている。
【００３７】
側壁部１３は、底部１５から立ち上がる構成をなしており、第１壁部１１の片側の壁部１１ａと第２壁部１２の端部１２ｂとを連結するように配置されている。また、側壁部１４も、底部１５から立ち上がる構成をなし、第１壁部１１の片側の壁部１１ｂと第２壁部１２の端部１２ｃとを連結する構成をなしている。これら側壁部１３、１４は互いに対向する構成をなしており、光学的情報読取装置１００を保持する際に読取部１０２の両側壁１０２ｃ、１０２ｄとそれぞれ対向するように配置されるものである。
【００３８】
このように構成される装置保持部１０によって光学的情報読取装置１００を保持する際には、図２、図１２のように、把持部１０４を装置保持部１０の外部に延出させ、且つ読取口１０６を底部１５と対向させるように光学的情報読取装置１００を配置した状態で、第１壁部１１により中間部１１０を支持し、かつ中間部１１０を支点とする読取部１０２の端部の動きを第２壁部１２によって係止するように光学的情報読取装置１００を保持することとなる。
【００３９】
この保持の際には、上述したように、一対の内壁面１７ａ、１７ｂによって読取部１０２の裏壁１０２ｂ（具体的には裏壁１０２ｂにおける把持部１０４の基端（把持部１０４と読取部１０２との境界）の両側二位置Ｐ１、Ｐ２：図３参照）が支持され、この内壁面１７ａ、１７ｂの支持位置（図４に示す位置Ｐ５、Ｐ６）を支点として把持部１０４の先端側が下方に向かおうとする回転力が生じる（図１２の矢印Ｆ６の方向の回転力）。即ち、本実施形態では、重心Ｇが装置保持部１０の外部に位置するように光学的情報読取装置１００が配置される格好となるため、光学的情報読取装置１００における支持位置Ｐ５，Ｐ６よりも重心Ｇ側の部分が重力により下方に沈もうとする作用が生じ、逆に、読取部１０２の先端部側は支持位置Ｐ５、Ｐ６を支点とする回転力により上方に浮き上がろうとする作用が生じる。本実施形態の構成では、このように浮き上がろうとする読取部１０２の先端部を第２壁部１２の両端部１２ｂ、１２ｃと当接させて係止しており、これにより光学的情報読取装置１００と装置保持部１０とが係合状態となる。
【００４０】
また、本実施形態では、上述したように、底部１５における読取口１０６との対向面は、貫通孔２０の周囲において第１壁部１１寄りの過半領域に設けられる平滑面１５ｃと、平滑面１５ｃと第２壁部１２との間において平滑面１５ｃに対して傾斜するように配置された傾斜面１５ｄとを有している（図４、図８、図９参照）。このように構成されているため、光学的情報読取装置１０を装着する際に、読取部１０２の先端部を平滑面１５ｃに当接させるように挿入し（例えば図１１のような位置で挿入）、内壁面１７ａ、１７ｂの支持位置（図４に示す位置Ｐ５、Ｐ６）を支点として把持部１０４を下げる方向にわずかに回転させるように光学的情報読取装置１００を操作すれば、読取部１０２の端部が平滑面１５ｃを滑って第２壁部１２側に移動し、かつ傾斜面１５ｄによってスムーズに案内されて第２壁部１２と当接するようになる（図１２参照）。逆に、離脱の際には内壁面１７ａ、１７ｂの支持位置（図４に示す位置Ｐ５、Ｐ６）を支点として把持部１０４を浮かせる方向にわずかに回転させるように光学的情報読取装置１００を操作すれば、読取部１０２の端部が傾斜面１５ｄを滑ってスムーズに平滑面１５ｃ側に案内されることとなる。
【００４１】
また、本実施形態では、図１０に示すように、底部１５の裏側における複数の端面１５ａ,１５ｂがそれぞれ平坦面として構成されており、それら平坦面が同一の仮想平面上に位置する構成をなしている。即ち、装置保持部１０を平坦な載置面に載置したときに端面１５ａのほぼ全体、及び端面１５ｂのほぼ全体がいずれもその平坦な載置面と当接するように構成されている。また、図５に示すように、装置保持部１０は、正面視したとき（即ち、正面側から見たとき）の底部１５の端面形状が平坦に構成されており、図６に示すように背面視したとき（即ち、背面側から見たとき）の底部１５の端面形状も平坦に構成されている。また、両側方から側面視したときの底部１５の端面形状もいずれも平坦に構成されている（図７参照）。
このように構成されているため、仮に装置保持部１０を取り外した場合、図１１のように当該装置保持部１０を平坦面等に安定的に載置できる構成となる。従って、当該装置保持部１０単体でも置台として使用でき、装置保持部１０を製造するための金型を利用して本発明の置台１とは別タイプの置台（即ち、装置保持部１０と略同形状であってかつ載置面９０上に載置して用いる樹脂製の置台）を容易に製造できるようになる。なお、図１１は、装置保持部１０を平坦な載置面に載置し、当該装置保持部１０単体を光学的情報読取装置１００の置台とした例を示しており、装置保持部１０と同形状の置台を製造した場合も同様に使用できることはいうまでもない。
【００４２】
また、本実施形態では、第１壁部１１の下端部においてアーム部２の端部を組み付けるための組み付け部５０が設けられている。この組み付け部５０は、アーム部２の端部を挿入する挿入穴５４と、挿入穴５４の底部に形成される孔部５２とを備えており、アーム部２の第１固定部２ｂを挿入穴５４に挿入させた状態でねじ５を孔部５２に挿し込みねじ止めしている。図８に示すように、挿入穴５４は、開口側につれて下方（端面１５ａ、１５ｂ側）に向かうように端面１５ａ、１５ｂに対して傾斜した構成をなしており、図６のように背面視したときにねじ５を差し込む孔部５２が当該挿入穴５４の壁部に覆われて視認不能な構成となっている。従って、当該装置保持部１０を取り外して図１１のように当該装置保持部１０単体で置台として使用したときに背面側から孔部５２が視認し難くなり、デザイン的に優れたものとなる。
なお、このように装置保持部１０単体でデザイン性に優れた置台となるように構成すると、装置保持部１０を製造するための金型を利用してデザイン性に優れた別タイプの置台（即ち、置台１とはタイプが異なる装置保持部１０と同形状の置台）を容易に製造できるようになる。
【００４３】
以上説明した本実施形態の構成では、光学的読取装置を保持する装置保持部１０が載置面９０から離れた高位置で保持され、その装置保持部１０における読取口１０６と対向する底部１５において読取口１０６内を外部に露出させる貫通孔が形成されているため、読取口１０６を載置面９０側（下方側）に向かせた状態で光学的情報読取装置１００を保持できるようになり、読取口１０６を載置面９０側（下方側）に向かせた定置使用が可能となる。
【００４４】
また、把持部１０４が装置保持部１０の外部に配された状態で第１壁部１１により中間部１１０を支持しているため、把持部１０４の自重により、読取部１０２の端部側が中間部１１０を支点として浮き上がろうとするが、中間部１１０を支点として動こうとする読取部１０２の端部を第２壁部１２によって係止しており、その結果、光学的情報読取装置１００は装置保持部１０に安定的に保持されることとなる。また、把持部１０４を持ち上げるようにすれば、中間部１１０を支点とする読取部１０２の浮き上がり作用を解除できるため、光学的情報読取装置１００の離脱操作も容易に行うことができる。
また、このようにすれば、光学的情報読取装置１００を大掛かりな構成で収容する必要がなく、置台１（特に装置保持部１０）を効果的に小型化できる。
【００４５】
また、本実施形態では、第１壁部１１において光学的情報読取装置１００を保持する際に中間部１１０（具体的には把持部１０４の基端部）と嵌合する凹部１１ｃが形成されているため、装着時に中間部１１０を第１壁部１１に対して位置決めしやすく、また保持の際には中間部１１０の位置ずれを抑えて当該中間部１１０を安定的に受けることができるようになる。
【００４６】
また、本実施形態では、底部１５の裏側における複数の端面１５ａ,１５ｂがそれぞれ平坦面として構成されており、それら平坦面が同一の仮想平面上に位置しているため、仮に装置保持部１０を取り外した場合、当該装置保持部１０を平坦面等に安定的に載置できる構成となる。
このように構成すると、当該装置保持部１０を製造するための金型を利用して本発明の置台１とは別タイプの置台（即ち、装置保持部１０と略同形状であってかつ載置面９０上に載置して用いる樹脂製の置台）を容易に製造できるようになる。即ち、特徴部分の形状を別タイプの置台の全体形状と共通化でき、部品管理容易化、コスト低減等を図ることができる。
【００４７】
また、本実施形態の構成によれば、光学的情報読取装置１００を装着する際に、図１１、図１２のような装着操作をすることで読取部１０２の端部が平滑面１５ｃを滑りかつ傾斜面１５ｄによってスムーズに第２壁部１２側に案内されるようになり、逆に、離脱の際には傾斜面１５ｄを滑ってスムーズに平滑面１５ｃ側に案内されるようになる。
【００４８】
また、本実施形態の構成によれば、いわゆるガンタイプの光学的情報読取装置１００を保持対象として当該光学的情報読取装置１００を良好に保持できることとなる。
【００４９】
また、本実施形態の構成では、アーム部２においてフレキシブルチューブ２ｃが設けられているため、装置保持部１０の位置や角度を自由にかつ容易に変化させることができ、利便性をより一層高めることができる。
【００５０】
［他の実施形態]
本発明は上記記述及び図面によって説明した実施形態に限定されるものではなく、例えば次のような実施形態も本発明の技術的範囲に含まれる。
【００５１】
上記実施形態では、保持対象として読取部１０２の長手方向中間位置に把持部１０４が連結される光学的情報読取装置１００を例示したが、読取部の長手方向後端位置に把持部が連結される構成であってもよい。
【００５２】
上記実施形態では、保持対象として読取部１０２が長手状に構成された光学的情報読取装置１００を例示したが、読取部が長手状に構成されていなくてもよい。要するに、読取部は読取口側が凸状に延出していればよい。
【００５３】
上記実施形態では、第１壁部１１における一対の内壁面１７ａ、１７ｂによって中間部１１０（具体的には裏壁１０２ｂ）を支持し、かつ中間部１１０を支点とする読取部１０２の端部の動きを、第２壁部１２の幅方向両側の２位置で係止する構成を例示したが、第２壁部の幅方向中央部付近の１位置で係止するような構成であってもよい。
【００５４】
上記実施形態では、第１壁部１１により読取部１０２の裏壁１０２ｂの２位置を支持し、これら位置を支点とする例を示したが、中間部１１０の別位置を支点とする構成であってもよい。例えば、把持部１０４の基端部分が支点となるように当該基端部分を支持するような構成であってもよい。
【００５５】
上記実施形態では、底部の裏側における複数の端面がそれぞれ平坦面として構成され、それら平坦面が同一の仮想平面上に位置している例を示したが、底部の裏側が略全体に亘って単一の平坦面として構成されていてもよい。
【００５６】
上記実施形態では、アーム部２において、装置保持部１０に固定される第１固定部２ａと、基台３に固定される第２固定部２ｂと、第１固定部２ａと第２固定部２ｂとを繋ぐフレキシブルチューブ２ｃとを設けた例を示したが、他の構成の可動アームであってもよい。例えば、複数のフレームを連結する形態でアーム部を構成し、フレーム同士を回動可能に連結したり、ボールジョイントなどで揺動可能に連結してもよい。
【００５７】
上記実施形態では、装置保持部１０をアーム部２に固定して用いる例を示したが、装置保持部１０をアーム部２に着脱できるように構成し、必要に応じて装置保持部１０単体で使用できるようにしてもよい（例えば図１１のように使用）。図１では着脱可能な例としてアーム部２に対して装置保持部１０をねじ止めする例を示しているが、これに限られず、例えば装置保持部とアーム部とを係合解除可能な形態で係合させるようにしてもよい。
【図面の簡単な説明】
【００５８】
【図１】図１は、第１実施形態に係る置台を概略的に例示する斜視図である。
【図２】図２は、図１の置台に光学的情報読取装置を載置した例を示す斜視図である。
【図３】図３は、保持対象の光学的情報読取装置を説明する説明図である。
【図４】図４は、図１の置台の装置保持部を示す平面図である。
【図５】図５は、装置保持部の正面図である。
【図６】図６は、装置保持部の背面図である。
【図７】図７は、装置保持部の側面図である。
【図８】図８は、装置保持部についてのＡ−Ａ断面を概略的に示す断面図である。
【図９】図９は、装置保持部についてのＢ−Ｂ断面を概略的に示す断面図である。
【図１０】図１０は、装置保持部の裏面図である。
【図１１】図１１は、装置保持部を平坦面に載置し、単体で置台として使用する様子を説明する説明図である。
【図１２】図１２は、装置保持部による光学的情報読取装置の保持状態（係合状態）を説明する説明図であり、図８の断面図に保持される光学的情報読取装置を組み合わせた例を概念的に示す図である。
【符号の説明】
【００５９】
１…置台
２…アーム部
２ａ…第１固定部
２ｂ…第２固定部
２ｃ…フレキシブルチューブ
３…基台
１０…装置保持部
１１…第１壁部
１１ｃ…凹部
１２…第２壁部
１５…底部
１５ａ,１５ｂ…端面
１５ｃ…平滑面
１５ｄ…傾斜面
２０…貫通孔
９０…載置面
１００…光学的情報読取装置
１０２…読取部
１０４…把持部
１０６…読取口
１１０…中間部
【図１】
0004951744.tif 000002
【図２】
0004951744.tif 000003
【図３】
0004951744.tif 000004
【図４】
0004951744.tif 000005
【図５】
0004951744.tif 000006
【図６】
0004951744.tif 000007
【図７】
0004951744.tif 000008
【図８】
0004951744.tif 000009
【図９】
0004951744.tif 000010
【図１０】
0004951744.tif 000011
【図１１】
0004951744.tif 000012
【図１２】
0004951744.tif 000013